(57)【要約】      （修正有） 【課題】受筒状としたソケット部を直交する二方向を段違いで突設した支柱管１と、先端にソケット部へ上方から差し入れる差込連結部を設けた横管とで形成する足場骨組みで、差込連結部に特別な抜け止め構造を付することなく、既存の支柱管及び横管を使用して、その連結解除を防止する器具を提供する。【解決手段】支柱管１の外径に対応した内径を有する二分割半円形状の抱持本体３ａ，３ｂを形成すると共に、リング状に組み合わせた際の一端側を、ヒンジ連結して開閉自在とし、他方端側に抱持本体を互いに連結する接続部（螺孔、貫通孔、連結螺子体３４）を設けると共に、隣接ソケット部の上下段差の長さ分だけ下方に突出する押さえ突部３５を設けてなる。【選択図】図３
0003179014.tif 000002
【実用新案登録請求の範囲】
【請求項１】
受筒状としたソケット部を四方向で且つ直交する二方向を段違いで突設した支柱管と、先端に前記ソケット部へ上方から差し入れる差込連結部を設けた横管とで形成する足場骨組みに適用するものであって、支柱管の外径に対応した内径を有する二分割半円形状の抱持本体を形成すると共に、前記抱持本体をリング状に組み合わせた際の一端側を、ヒンジ連結して開閉自在とし、他方端側に抱持本体を互いに連結する接続部を設けると共に、接続部を連結した際の１８０度の位置に、隣接ソケット部の上下段差の長さ分だけ下方に突出する押さえ突部を設けてなることを特徴とする足場用抜け止め具。
【請求項２】
押さえ突部を、ソケット部に挿入可能な大きさに形成してなる請求項１記載の足場用抜け止め具。
【請求項３】
接続部を、一方の抱持本体の突き合せ端面に設けた螺孔と、他方抱持本体の突き合せ端部に前記螺孔に一致するように設けた貫通孔と、貫通孔に挿入して前記螺孔に螺合する頭部付の連結螺子体とで構成してなる請求項１又は２記載の足場用抜け止め具。
【請求項４】
抱持本体を樹脂で形成してなる請求項１乃至３記載の何れかの足場用抜け止め具。
【考案の詳細な説明】
【技術分野】
【０００１】
本考案は、足場の骨組みの接続部分の抜け止めを防止するための器具に関するものである。
【背景技術】
【０００２】
建築工事などにおいて多用されている仮設足場の骨組みは、いわゆる単管足場と称され、支柱管と横管を連結して構築されている。この支柱管と横管との連結構造は、組立て並びに解体時の作業能率を考慮して、支柱管の上下適宜間隔で受筒状としたソケット部を四方向に突設し、横管の先端に前記ソケット部へ上方から差し入れる差込連結部を設け、ソケット部と差込連結部の組み合わせで連結を行っている。
【０００３】
また安易にソケット部から差込連結部が抜けてしまうと危険であるため、ソケット部をテーパー状に形成し、差込連結部を楔状鉤部に形成し、前記楔状鉤部をソケット部に圧入して連結固定しているものである。
【０００４】
然し楔状鉤部を採用した場合は、楔状鉤部で強く連結固定するために、装着時にハンマー打撃を必要とし、その騒音による周辺地域の環境の悪化を招き、また組立解体を何度も繰り返すことでソケット部や楔状鉤部が変形してしまい、連結が緩くなってしまう。
【０００５】
その対策として特許文献１には、ソケットへの差込連結部の下端に、カム形状の係止縁を備えた係止金具を枢結し、前記係止金具の回動で係止金具先端をソケットより外方に突出させて抜け止めを行う構造が開示されている。
【０００６】
また特許文献２には、差込連結部を設けた横管に、縦回動又は横回動によってソケットの下方へ進出する鉤部材を付設して、ソケット部から差込連結部が抜け出るのを防止する構造が開示されている。
【先行技術文献】
【特許文献】
【０００７】
【特許文献１】特開２００６−４５８２２号公報。
【特許文献２】特開２００７−２７７９８１号公報。
【考案の概要】
【考案が解決しようとする課題】
【０００８】
仮設足場の骨組み構造に、支柱管に設けた受筒状のソケット部と、横管先端の差込連結部との組み合わせを採用した場合の抜け止め手段として、前記の通り楔状鉤部を採用すると組立作業時の騒音と、経年変化による変形が問題となる。
【０００９】
また特許文献１，２に開示されている差込連結部に抜け止め構造を付設した横管を採用する場合は、既存の楔状鉤部を備えた横管に替えて新たな横管を製造する必要があり、或いは既存の横管の先端部分を溶断し、抜け止め構造を備えた差込連結部を付設する必要があり、既存の楔状鉤部を備えた横管を廃棄する無駄や作り変えの煩雑さがある。
【００１０】
そこで本考案は、既存の楔状鉤部を備えた横管を使用した仮設足場の骨組みにおいても、横管の構造を変更することなく抜け止めを実現する新規な足場用抜け止め具を提案したものである。
【課題を解決するための手段】
【００１１】
本考案（請求項１）に係る足場用抜け止め具は、受筒状としたソケット部を四方向で且つ直交する二方向を段違いで突設した支柱管と、先端に前記ソケット部へ上方から差し入れる差込連結部を設けた横管とで形成する足場骨組みに適用するものであって、支柱管の外径に対応した内径を有する二分割半円形状の抱持本体を形成すると共に、前記抱持本体をリング状に組み合わせた際の一端側を、ヒンジ連結して開閉自在とし、他方端側に抱持本体を互いに連結する接続部を設けると共に、接続部を連結した際の１８０度の位置に、隣接ソケット部の上下段差の長さ分だけ下方に突出する押さえ突部を設けてなることを特徴とするものである。
【００１２】
而して支柱管のソケット部に横管の差込連結部を差し入れて足場骨組みを構築した後に、骨組み連結箇所の上方に足場用抜け止め具を配置し、抱持本体の底面を段違い上方のソケット部に連結した横管上部と当接させ、押さえ突部の下端を段違い下方のソケット部に連結した横管上部と当接する状態で、接続部を連結して抱持本体を支柱管に抱持固定するものである。
【００１３】
従って支柱管の各ソケット部に連結した当該骨組みに使用される横管は、その上方への移動が前記足場用抜け止め具によって阻止され、支柱管と横管の連結が解除されることが無い。
【００１４】
本考案（請求項２）に係る足場用抜け止め具は、押さえ突部を、ソケット部に挿入可能な大きさに形成してなるもので、足場を組み立てる前においては、押さえ突部をソケット部内に差し入れて支柱管に装着しておくと紛失の虞が無く、且つ足場骨組み構築時に、抜け止め具の接続部の連結を緩め、抜け止め具を持ち上げ、横管の差込連結後に抜け止め具を固定すれば良く、抜け止め具の脱着作業を効率的に行うことができる。
【考案の効果】
【００１５】
本考案は上記のとおりの構成で、受筒状としたソケット部を四方向で且つ交差する二方向を段違いで突設した支柱管と、先端に前記ソケット部へ上方から差し入れる差込連結部を設けた横管とで形成する足場骨組みにおいて、横管の差込連結部の構造を複雑にすることなく、また横管の差込連結部に楔状突部を採用している既存の足場骨組みに対しても、楔のハンマー打ち込み作業を行うことなく、横管の抜け止めを実現するもので、足場構築の作業能率を向上させると共に、差込連結部の経年変化による変形をも防止できるものである。
【図面の簡単な説明】
【００１６】
【図１】本考案の実施形態の全体図。
【図２】同使用状態の説明図（器具装着前）。
【図３】同使用状態の説明図（器具装着後）。
【図４】同使用状態の説明図（非使用状態：保管時）。
【図５】同使用対象の足場用管の説明図（既存品）。
【考案を実施するための形態】
【００１７】
次に本考案の実施形態について説明する。本考案に係る足場用抜け止め具（本器具）の使用対象は、図５に示すように支柱管１と横管２とで組み立てる足場用骨組みで、支柱管１は、受筒状に形成して二方向（１８０度の位置）に設けた上段ソケット部１１ａと、前記上段ソケット部１１ａと直交する二方向（１８０度の位置）に段違いで設けた下段ソケット部１１ｂを設けたもので、これらの一組の上下段ソケット部１１ａ，１１ｂは上下適宜間隔で多段に設けてなり、また上端には連結用挿入部１２を設けてなる。
【００１８】
横管２は、両端に、前記ソケット部１１ａ，１１ｂへ上方から差し入れることが可能な差込連結部（図示例は既存の楔状突部）２１を設けたもので、左右前後に適宜配置した支柱管１のソケット部１１ａ，１１ｂに差込連結部２１を上方から挿着して連結し、更に支柱管１を上方に連結すると共に横管２を差し渡して連結することで必要とする足場の骨組みを構築するものである。
【００１９】
本器具は、全体が樹脂製のリング形状となるもので、前記支柱管１の外径に対応した内径を有する二分割半円形状の抱持本体３ａ，３ｂを形成すると共に、前記抱持本体３ａ，３ｂをリング状に組み合わせた際の一端側を、縦軸棒３１を使用してヒンジ連結して開閉自在とし、他方端側に抱持本体３ａ，３ｂを互いに連結する接続部を設けたものである。
【００２０】
接続部は、螺孔３２と貫通孔３３と連結螺子体３４で構成され、螺孔３２は、抱持本体３ａの突き合せ端面に設け、貫通孔３３は、抱持本体３ａ，３ｂを閉じた際に、螺孔３２と一致する軸線上で、抱持本体３ｂの突き合せ端面から外周まで貫通するように設けたものである。また連結螺子体３４は、頭部付で前記螺孔３２に螺合して抱持本体３ａ，３ｂを連結するものである。
【００２１】
また抱持本体３ａ，３ｂには、下方に突出する押さえ突部３５を設けたもので、押さえ突部３５は、抱持本体３ａ，３ｂを閉じた際の１８０度の位置に、ソケット部１１ａに挿入可能な大きさで、その長さを隣接する上下段ソケット部１１ａ，１１ｂの上下段差の長さ分としたものである。
【００２２】
本器具の使用は、支柱管１のソケット部１１ａ，１１ｂの何れかまたは全てに横管２の差込連結部２１を差し入れて足場骨組みを構築した後に、骨組み連結箇所の上方に本器具を位置させ、抱持本体３ａ，３ｂの底面を上段ソケット部１１ａに連結した横管２の上部と当接させ、押さえ突部３５の下端を下段ソケット部１１ｂに連結した横管２上部と当接する状態で、貫通孔３３に差し入れた連結螺子体３４を螺孔３２に螺合して、本器具を
支柱管１に抱持固定するものである。
【００２３】
従って支柱管１のソケット部１１ａ，１１ｂに連結した足場骨組みに使用された横管２は、その上方に抱持本体３ａ，３ｂや押さえ突部３５が位置することになり、ソケット部１１ａ，１１ｂに挿着されたれ差込連結部２１の上方移動が本器具によって阻止されることになるので、支柱管１と横管２の連結が解除されることが無く、足場骨組みは安全に構築されるものである。
【００２４】
また足場を構築せず支柱管１や横管２を保管している際には、図４に示すとおり押さえ突部３５をソケット部１１ａ内に差し入れて支柱管１に抱持固定しておくと、紛失の虞が無い。更に足場骨組み構築作業時において、本器具の連結螺子体３４を緩め、本器具を持ち上げ、横管２を差込連結した後に、本器具を下降させ連結螺子体３４を緊締するのみで本器具の装着ができるので、本器具の脱着作業を効率的に行うことができるものである。
【符号の説明】
【００２５】
１        支柱管
１１ａ    上段ソケット部
１１ｂ    下段ソケット部
１２      連結用挿入部
２        横管
２１      差込連結部
３ａ，３ｂ  抱持本体
３１      縦軸棒
３２      螺孔
３３      貫通孔
３４      連結螺子体
３５      押さえ突部
【図１】
0003179014.tif 000003
【図２】
0003179014.tif 000004
【図３】
0003179014.tif 000005
【図４】
0003179014.tif 000006
【図５】
0003179014.tif 000007